(57)【要約】【課題】乾燥や経年劣化等によりひびなどが形成される懸念のある木材に花や葉等を配設しても、配設された花や葉にしわや破断が発生してしまうことを防止することができる装飾性に優れた装飾体を提供する。【解決手段】輪切りにして年輪３を露出させた平板状の木材本体１の一方面２ａに凹部５を形成し、この凹部５に乾燥させた花６や葉７等を配設し、これらを外部に露出しないよう覆うようにして、凹部５にポリエステル樹脂と硬化剤からなる熱硬化性樹脂８を充填し硬化させることで装飾体１を得る。これにより、木材本体２が乾燥や経年劣化などにより亀裂が生じたとしても、比較的硬度の高い熱硬化性樹脂８で花６や葉７を密封していることで、花６や葉７が破断されることを防止することができる。【選択図】図１
2011042076.tif 000002
【特許請求の範囲】
【請求項１】
平板状の木材本体の一方面に凹部を形成し、該凹部に、乾燥させた、花、葉、貝殻、又は昆虫の内の１つ又は２つ以上を配設し、それが外部に露出しないよう覆うようにして、前記凹部に透明な熱硬化性樹脂を充填して固化させたことを特徴とする装飾体。
【請求項２】
前記熱硬化性樹脂は、基剤となる液と硬化剤となる液との混合により重合反応をお越し硬化されるものであることを特徴とする請求項１記載の装飾体。
【請求項３】
前記凹部に充填され硬化された熱硬化性樹脂により、花、葉、貝殻、又は昆虫の内の１つ又は２つ以上を、前後及び側方から密封したことを特徴とする請求項２記載の装飾体。
【請求項４】
前記基剤となる液はポリエステル樹脂であることを特徴とする請求項２又は３記載の装飾体。
【請求項５】
前記木材本体は、樹木が伸びる方向に対して、直交方向又は斜め方向に輪切りして、環状の年輪を該木材本体の一方面に少なくとも形成したものであり、該木材本体の年輪の中心に孔部を形成して、該孔部に挿通された計時ユニットの軸部に、時針と分針の基端部側を軸支したことを特徴とする請求項４記載の装飾体。
【発明の詳細な説明】
【技術分野】
【０００１】
本発明は、ドアやふすま等の建具、住宅等の建築物、机やテーブル等の家具類などに装飾目的で設けられる装飾体に関し、より詳しくは、天然木を切断した板材に花や葉などを付設した装飾体に関するものである。
【背景技術】
【０００２】
従来から、机やテーブル等の木製の家具類に花や葉を印刷した薄膜状の化粧シートを載置したり接着剤にて貼着することで、机上の傷を保護したり装飾効果を向上させることが一般的に行われている。それに関連する技術として、特許文献１には、透明なフイルムで押し花を杉材や桜皮材などの薄葉単板の一面に被覆貼着した装飾板が開示されている。
【先行技術文献】
【特許文献】
【０００３】
【特許文献１】実開平７−２３６００号公報
【発明の概要】
【発明が解決しようとする課題】
【０００４】
特許文献１に開示されている装飾板においては、薄葉単板の表面に配設した押し花を透明な薄膜状のフイルムで単に覆った構造であることから、時間の経過等により薄葉単板の表面が乾燥や経年劣化によりひびなどが形成されると、フイルムが撓んだり破断するのに伴って、押し花にしわが形成されてしまったり切断されたりして美観が損なわれることがある。
【０００５】
本発明は、上記課題に鑑みてなされたものであり、乾燥や経年劣化等によりひびなどが形成される懸念のある木材に花や葉等を配設しても、配設された花や葉にしわや破断が発生してしまうことを防止することができる装飾性に優れた装飾体を提供することを目的とする。
【課題を解決するための手段】
【０００６】
請求項１に係る装飾体は、平板状の木材本体の一方面に凹部を形成し、該凹部に、乾燥させた、花、葉、貝殻、又は昆虫の内の１つ又は２つ以上を配設し、それが外部に露出しないよう覆うようにして、前記凹部に透明な熱硬化性樹脂を充填して固化させたことを特徴とする。
【０００７】
請求項２に係る装飾体は、請求項１記載の装飾体において、前記熱硬化性樹脂は、基剤となる液と硬化剤となる液との混合により重合反応をお越し硬化されるものであることを特徴とする。
【０００８】
請求項３に係る装飾体は、請求項２記載の装飾体において、前記凹部に充填され硬化された熱硬化性樹脂により、花、葉、貝殻、又は昆虫の内の１つ又は２つ以上を、前後及び側方から密封したことを特徴とする。
【０００９】
請求項４に係る装飾体は、請求項２又は３記載の装飾体において、前記基剤となる液はポリエステル樹脂であることを特徴とする。
【００１０】
請求項５に係る装飾体は、請求項４記載の装飾体において、前記木材本体は、樹木が伸びる方向に対して、直交方向又は斜め方向に輪切りして、環状の年輪を該木材本体の一方面に少なくとも形成したものであり、該木材本体の年輪の中心に孔部を形成して、該孔部に挿通された計時ユニットの軸部に、時針と分針の基端部側を軸支したことを特徴とする。
【発明の効果】
【００１１】
本装飾体の発明によれば、ポリエステル樹脂等の基剤と硬化剤との２液を混合により重合反応を起させ硬化等される熱硬化性樹脂により、花、葉、貝殻、又は昆虫の内の１つ又は２つ以上を、平板状の木材本体に外部に露出することがないよう一体に設けることができるので、木材本体が乾燥や経年劣化などによりひびなどの亀裂が生じた際、従来のように薄膜状のシートで花等を被覆している場合には、そのシートに撓みや破断が生じ、装飾性が損なわれる虞があったが、比較的硬度が高く熱や溶剤に対しても強い熱硬化性樹脂で、花、葉、貝殻、又は昆虫の内の１つ又は２つ以上を覆うことで、そうした問題を解消することができる。
【００１２】
さらに、凹部に配設された、花、葉、貝殻、又は昆虫の内の１つ又は２つ以上は、凹部の壁面に直接当接することがないように、前後及び側部を透明な熱硬化性樹脂により密封させたから、これらをその透明な部位である熱硬化性樹脂内で浮かんでいるかのように現し、立体感を出すことができるので、美観に優れた装飾体を提供することができる。
【００１３】
さらに、本装飾体の木材本体は、樹木が伸びる方向に対して、直交方向又は斜め方向に輪切りして、環状の年輪を木材本体の一方面に少なくとも形成したものであり、該木材本体の年輪の中心に孔部を形成して、該孔部に挿通された計時ユニットの軸部に、時針と分針の基端部側を軸支したものであるから、装飾体に、時間を計時することができる時計機能を融合することが可能となると共に、天然木特有の年輪の美しさによって、より装飾性を高めることができる。
【図面の簡単な説明】
【００１４】
【図１】実施例１における装飾体を示す斜視図である。
【図２】同上、装飾体を示す断面図である。
【図３】同上、装飾体の製造工程を示す説明図である。
【図４】実施例２における計時機能を有する装飾体を示す斜視図である。
【発明を実施するための形態】
【００１５】
以下、本発明の実施形態としての実施例を図１〜図４により以下に説明する。もちろん、本発明は、その発明の趣旨に反しない範囲で、本実施例において説明した以外の構成のものに対しても容易に適用可能なことは説明を要するまでもない。
【実施例１】
【００１６】
図１及び図２に示す装飾体１は、ドアやふすま等の建具、住宅等の建築物、机やテーブル等の家具類などに装飾目的で設けられるものであり、樹木の伸びる方向に対して直交方向に輪切りに切断した平板で略円形状の木材本体２を備え、その両面には環状の年輪３を有し、外周面には樹皮４を有している。
【００１７】
木材本体２の前面である一方面２ａには、外側を除いた内側に凹部５が形成されており、その凹部５に配設された乾燥済みの花６及び葉７は、深さ５ｍｍで凹部５に肉厚状に満たされた透明な熱硬化性樹脂８によって、その前後、側方が密閉されている。なお、前記凹部５の輪郭は、図１に示すように年輪に沿って形成したものである。
【００１８】
熱硬化性樹脂８は、基剤の液がポリエステル樹脂となっており、基剤の液と硬化剤の液との２液の混合により重合反応を起させ硬化させたものである。なお、ポリエステル樹脂と硬化剤により硬化された熱硬化性樹脂８は木材本体２よりも高い硬度を有するものである。
【００１９】
次に、装飾体１の製造工程について図３を参照しながら説明する。図３（ａ）に示すように、先ず、外周面に樹皮４を有する木材を輪切りに切断して木材本体２を得る。
【００２０】
次に、図３（ｂ）に示すように、水の投入された容器で木材本体２を所定時間煮沸して、木材本体２から不純物の除去工程を行った後、図３（ｃ）に示すように、その木材本体２を日陰で自然乾燥させる。
【００２１】
次に、図３（ｄ）に示すように、木材本体２の一方面の内側を切削加工して、外側を除く内側に凹部５を形成すると共に、木材本体２の表面全体をヤスリで研磨して平滑化する。
【００２２】
次に、図３（ｅ）に示すように、乾燥させた花６及び葉７を凹部５に配設し且つ基剤と硬化剤とを混合した液を凹部５に少しずつ充填してゆき、凹部５に満たされた液で花６及び葉７の各々の全体を密封し、続いて、図３（ｆ）に示すように、熱硬化性樹脂８の所謂やせが落ち着くまで数日間硬化させる。
【００２３】
次に、図３（ｇ）に示すように、熱硬化性樹脂８の表面と木材本体２の外側の表面とが同一面状になるように、木材本体２の外側面を切断して取り除くと共にその部分をヤスリで研磨して平滑化し、木材本体２に花６や葉７を付設した装飾体１を得る。
【００２４】
以上のように本実施例の装飾体１によれば、ポリエステル樹脂等の基剤と硬化剤との２液を混合により重合反応を起させ硬化等される熱硬化性樹脂８により、乾燥させた花６や葉７等を平板状の木材本体２に、外部に露出することがないよう一体に固着させることができるので、木材本体２が乾燥や経年劣化などによりひびなどの亀裂が生じた際、従来のようにシートで花等を被覆している場合には、そのシートに撓みや破断が生じ、装飾性が損なわれる虞があったが、比較的硬度が高く熱や溶剤に対しても強い熱硬化性樹脂８で、花６や葉７等の各々の全体を覆うことで、そうした問題を解消することができる。
【００２５】
さらに、凹部５に配設された、花６や葉７は、凹部５の壁面に直接当接することがないように、前後及び側部を透明で比較的肉厚な熱硬化性樹脂８により密封させたから、これらをその透明な部位である熱硬化性樹脂内で浮かんでいるかのように現すことが可能となり、立体感を出すことができるので、美観に優れた装飾体１を提供することができる。
【００２６】
以上、本実施例１を詳述したが、本発明は、前記実施例１に限定されるものではなく、本発明の要旨の範囲内で種々の変形実施が可能である。本実施例１においては、熱硬化性樹脂８により密封される対象を乾燥させた花６及び葉７としているが、それに限らず、乾燥させた貝殻や昆虫等を密封してもよく、その組み合わせ（１つでも可）は適宜選定してもよい。また、本実施例では、樹木が伸びる方向に対して直交方向に輪切りにした略円形状の木材を木材本体２として採用しているが、樹木が伸びる方向に対して斜め方向に輪切りにした楕円状の木材本体を用いてもよい。また、凹部５に満たされた熱硬化性樹脂８の肉厚寸法は、強度を確保するため、薄膜状にならないよう少なくとも５ｍｍ〜１５ｍｍ（本実施例においては５ｍｍ）で形成したものであるが、凹部５の深さ寸法を長くとるなどして、熱硬化性樹脂８の肉厚寸法を１５ｍｍ以上のより肉厚な寸法としてもよい。
【実施例２】
【００２７】
図４は本発明の実施例２を示したものであり、前記実施例１と同一部分には同一符号を付しその詳細な説明を省略する。実施例２においては、図４に示すように、年輪３の中心３ａの中心線上に位置して、木材本体２と熱硬化性樹脂８に孔部１０を形成している。そして、木材本体１の裏面に螺子止めされた計時ユニット１１から孔部１０を介して前面側に軸部１２を突出させ、軸部１２には、時針１３と分針１４の基端部側を軸支し、これらの針が、軸部１２を中心として装飾体１の前面に均等角度（９０度）で４つ配設された、花６や葉７などを指し示すことにより、時刻を表示することが可能となっている。
【００２８】
また、木材本体２の前面に有する複数の年輪３には、図示は省略するが、年輪の各々に対応して、木材本体前面に西暦（或いは和暦）をしるし、且つ、それらの年に起きた事件（例えば、地震等）を、年輪ごとに文字や図形でしるしたものである。そして、そうすることで、年輪を年表として利用することが可能となり、装飾体１により付加的価値を与えることが可能となる。
【００２９】
実施例２における装飾体１によれば、その木材本体２を輪切りして環状の年輪３を木材本体２の両面に形成したものであり、木材本体２の年輪３の中心３ａに孔部１０を形成して、この孔部１０に挿通された計時ユニット１１の軸部１２に、時針１３と分針１４の基端部側を軸支したものであるから、時計機能を装飾体１に融合することが可能となり、さらに、実施例１の装飾体１と同様、木材本体２に有する天然木特有の年輪の美しさによって、装飾性を高めることができる。また、大地震などの事件に対応して、暦を付した年輪に文字等を付しておくことで、時・分を計時する時計機能に加え、年輪を年表として利用することも可能となり、より装飾効果を向上することができる。
【００３０】
以上、本実施例２を詳述したが、本発明は、前記実施例２に限定されるものではなく、本発明の要旨の範囲内で種々の変形実施が可能である。例えば、計時ユニット１１の軸部１２には、時針１３及び分針１４のほかに、秒針も軸支させ、時、分、秒を表示できるようにしてもよい。また、装飾体１の前面に軸部１２を中心として、「１」から「１２」の数字を、均等角度（３０度）で表記することで、より詳細に時刻を表示できるようにしてもよい。
【符号の説明】
【００３１】
１  装飾体
２  木材本体
２ａ  一方面
３  年輪
３ａ  中心
５  凹部
８  熱硬化性樹脂
１０  孔部
１１  計時ユニット
１２  軸部
１３  時針
１４  分針
【図１】
2011042076.tif 000003
【図２】
2011042076.tif 000004
【図３】
2011042076.tif 000005
【図４】
2011042076.tif 000006